(57)【特許請求の範囲】
【請求項１】
ワイヤーハーネスの所望の経路に沿った形状を有する硬質の補強ロッド部材と、この補強ロッド部材が載置され、載置された前記補強ロッド部材がその周囲に若干のスペースを持って位置決めされるロッド支持スペースを有し、間隔を置いて配置された複数の配索治具とを備え、
複数の前記配索治具の各ロッド支持スペースに前記補強ロッド部材を載置し、この載置された前記補強ロッド部材に沿うように複数の電線から成るワイヤーハーネスを配置して、このワイヤーハーネスを前記補強ロッド部材と共に複数の前記配索治具のロッド支持スペースに載置し、複数の前記配索治具の間の位置で前記補強ロッド部材及び前記ワイヤーハーネスとを拘束テープで仮締結し、この拘束テープで仮締結した前記補強ロッド部材及び前記ワイヤーハーネスとを複数の前記配索治具より取り外し、取り外した前記補強ロッド部材及び前記ワイヤーハーネスを拘束テープで本締結することを特徴とするワイヤーハーネスの配索方法。
【請求項２】
請求項１記載のワイヤーハーネスの配索方法であって、
前記配索治具の前記ロッド支持スペースは、底面部とこの底面部の両端より立設された左右の側面部とから構成され、上面側が解放されたものであることを特徴とするワイヤーハーネスの配索方法。
【発明の詳細な説明】
【０００１】
【発明の属する技術分野】
本発明は、ワイヤーハーネスを所望の経路に沿って配索するワイヤーハーネスの配索方法に関する。
【０００２】
【従来の技術】
この種の従来例のワイヤーハーネスの配索方法としては、図５に示す特開平６−２３６７１３号公報に開示されたものがある。
【０００３】
このワイヤーハーネスの配索方法は、図５に示すように、ワイヤーハーネスＷを構成する複数の電線１０２に沿って可撓性被覆１００ａで覆われた棒状体１００を配置し、この棒状体１００と複数の電線１０２との外周を粘着テープ１０１で巻き付ける。粘着テープ１０１で巻き付けた後に、可撓性被覆１００ａを残して棒状体１００のみを粘着テープ１０１で締結されたワイヤーハーネスＷ内より引く抜くものである。
【０００４】
このワイヤーハーネスＷの配索方法であれば、ワイヤーハーネスＷの外周を成形プロテクタで被う配索方法に較べて単純な形状の棒状体１００を用いて安価にワイヤーハーネスＷを配索できるという利点がある。
【０００５】
【発明が解決しようとする課題】
ところで、上記ワイヤーハーネスＷが自動車内の配線に使用される場合があり、自動車内の配線に使用されるワイヤハーネスＷの配索条件は多様であり、ワイヤーハーネスＷの経路が折曲されている場合も少なくない。そして、前記従来のワイヤーハーネスＷの配索方法では、ワイヤーハーネスＷの経路が直線やほぼ直線であれば対応可能であるが、経路が折曲されている場合には対応できない。
【０００６】
つまり、可撓性被覆１００ａで覆われた棒状体１００は、ワイヤーハーネスＷの経路に沿うように折曲された形状とする必要があり、このように折曲形状とした場合にはワイヤーハーネスＷ内より棒状体１００のみを引き出すことが困難であるからである。
【０００７】
そこで、本発明は、前記した課題を解決すべくなされたものであり、ワイヤーハーネスの経路が折曲する場合にあっても、単純な形状の補強ロッド部材を用いて安価にワイヤーハーネスを配索できるワイヤーハーネスの配索方法を提供することを目的とする。
【０００８】
【課題を解決するための手段】
請求項１の発明は、ワイヤーハーネスの所望の経路に沿った形状を有する硬質の補強ロッド部材と、この補強ロッド部材が載置され、載置された前記補強ロッド部材がその周囲に若干のスペースを持って位置決めされるロッド支持スペースを有し、間隔を置いて配置された複数の配索治具とを備え、複数の前記配索治具の各ロッド支持スペースに前記補強ロッド部材を載置し、この載置された前記補強ロッド部材に沿うように複数の電線から成るワイヤーハーネスを配置して、このワイヤーハーネスを前記補強ロッド部材と共に複数の前記配索治具のロッド支持スペースに載置し、複数の前記配索治具の間の位置で前記補強ロッド部材及び前記ワイヤーハーネスとを拘束テープで仮締結し、この拘束テープで仮締結した前記補強ロッド部材及び前記ワイヤーハーネスとを複数の前記配索治具より取り外し、取り外した前記補強ロッド部材及び前記ワイヤーハーネスを拘束テープで本締結することを特徴とする。
【０００９】
このワイヤーハーネスの配索方法では、配索治具に補強ロッド部材を配置し、この補強ロッド部材が載置されたロッド支持スペースを利用してワイヤーハーネスを補強ロッド部材に沿って共に配索治具に配置し、このように並設配置された補強ロッド部材とワイヤーハーネスを拘束テープで仮締結した後に配索治具から取り外して拘束テープで本締結すれば良いものであり、補強ロッド部材をワイヤーハーネス内より引き抜かないことからワイヤーハーネスの経路が折曲している場合に対応可能であり、又、補強ロッド部材はワイヤーハーネスの経路に沿った単純な形状で、且つ、硬質の材質のものであれば足りる。
【００１０】
請求項２の発明は、請求項１記載のワイヤーハーネスの配索方法であって、前記配索治具の前記ロッド支持スペースは、底面部とこの底面部の両端より立設された左右の側面部とから構成され、上面側が解放されたものであることを特徴とする。
【００１１】
このワイヤーハーネスの配索方法では、請求項１の発明の作用に加え、配索治具の上方より補強ロッド部材やワイヤーハーネスをロッド支持スペースに載置でき、又、ロッド支持スペースに載置された補強ロッド部材及びワイヤーハーネスを上方に持ち上げるだけで取り外しできる。
【００１２】
【発明の実施の形態】
以下、本発明の一実施形態を図面に基づいて説明する。
【００１３】
図１〜図４は本発明の一実施形態を示し、図１はワイヤーハーネスの配索に使用する各部品の斜視図、図２はワイヤーハーネスの配索過程であって、補強ロッド部材に沿ってワイヤーハーネスを配置した状態を示す斜視図、図３は補強ロッド部材の周囲にワイヤーハーネスが配置されている状態を示す拡大側面図、図４（ａ）はワイヤーハーネスの配索過程であって、拘束テープで補強ロッド部材とワイヤーハーネスとを仮締結する状態を示す斜視図、図４（ｂ）はワイヤーハーネスの配索過程であって、拘束テープで補強ロッド部材とワイヤーハーネスとを本締結する状態を示す斜視図である。
【００１４】
図１に示すように、補強ロッド部材１は、硬質材にて形成され、ワイヤーハーネスＷの所望の経路に沿った形状を有する。この実施形態では直線部１ａとこの直線部１ａの中間位置から直交方向に延設された分岐直交部１ｂとから成り、断面方形状を有している。
【００１５】
複数の配索治具２は、補強ロッド部材１を載置しようとした際に補強ロッド部材１の端部となる各位置に間隔を置いて配置されている。そして、各配索治具２は、下端が固定された脚部３と、この脚部３の上端に固定された支持台４とから構成されている。この支持台４は、底面部４ａとこの底面部４ａの両端より立設された左右の側面部４ｂ，４ｃとから構成され、底面部４ａと左右の側面部４ｂ，４ｃに囲まれて上面側が解放されたロッド支持スペース５が設けられている。ロッド支持スペース５の幅Ｄ及び高さＨは、補強ロッド部材１の幅及び高さに較べて大きく設定され、補強ロッド部材１の周囲にワイヤーハーネスＷを構成する複数の電線７を収容可能に設けられている。
【００１６】
次に、ワイヤーハーネスＷの配索方法を説明する。先ず、図１の矢印で示すように、複数の配索治具２の各ロッド支持スペース５に補強ロッド部材２を上方から挿入することによって補強ロッド部材１を複数の配索治具２の各ロッド支持スペース５内に載置する。次に、図２及び図３に示すように、この載置された補強ロッド部材１に沿うように複数の電線７を配置して、この複数の電線７で構成されるワイヤーハーネスＷを補強ロッド部材１と共に複数の配索治具２の各ロッド支持スペース５に載置する。
【００１７】
次に、図４（ａ）に示すように、複数の配索治具２の間の位置で補強ロッド部材１及びワイヤーハーネスＷを粘着テープ等の拘束テープ８を巻き付けることによって仮締結する。ここで、補強ロッド部材１を中心としてその周囲に複数の電線７が配置されるようにして拘束テープ８で仮締結する。この仮締結に際して、補強ロッド部材１及びワイヤーハーネスＷは複数の配索治具２によって位置決めされ、且つ、拘束テープ８を巻き付ける補強ロッド部材１及びワイヤーハーネスＷの位置には十分なスペースが全周囲に亘って確保されるため、作業者は拘束テープ８を使用して容易に、且つ、迅速に仮締結作業ができる。
【００１８】
次に、この拘束テープ８で仮締結した補強ロッド部材１及びワイヤーハーネスＷを複数の配索治具２より取り外す。ここで、補強ロッド部材１及びワイヤーハーネスＷは拘束テープ８によって仮締結されているため、ばらけることなく所定の形状を保持する。
【００１９】
最後に、図４（ｂ）に示すように、配索治具２より取り外した補強ロッド部材１及びワイヤーハーネスＷの長手方向のほぼ全域に亘って隙間なく拘束テープ８を巻き付けることによって本締結すれば完了する。ワイヤーハーネスＷは、硬質の補強ロッド部材１の形状に沿って配索されるため、ワイヤーハーネスＷはその弾性復帰力や外力によって変形することがなく所望の経路に配索されることになる。
【００２０】
以上、本発明のワイヤーハーネスＷの配索方法では、配索治具２に補強ロッド部材１を配置し、この補強ロッド部材１が載置されたロッド支持スペース５を利用してワイヤーハーネスＷを補強ロッド部材１に沿って共に配索治具２に配置し、このように並設配置された補強ロッド部材１とワイヤーハーネスＷを拘束テープ８で仮締結した後に配索治具２から取り外してほぼ全体を拘束テープ８で本締結すれば良いものであり、ワイヤーハーネスＷ内から補強ロッド部材１を引き抜かないためワイヤーハーネスＷの経路が折曲している場合に対応可能であり、又、補強ロッド部材１はワイヤーハーネスＷの経路に沿った単純な形状で、且つ、硬質の材質のものであれば足りる。以上より、ワイヤーハーネスＷの経路が折曲する場合にあっても、成形プロテクタに較べて単純な形状の補強ロッド部材１を用いて安価にワイヤーハーネスＷを配索できる。
【００２１】
又、前記実施形態では、配索治具２のロッド支持スペース５は、底面部４ａとこの底面部４ａの両端より立設された左右の側面部４ｂ，４ｃとから構成され、上面側が解放されたものであるので、配索治具２の上方より補強ロッド部材１やワイヤーハーネスＷをロッド支持スペース５に載置でき、又、ロッド支持スペース５に載置された補強ロッド部材１及びワイヤーハーネスＷを上方に持ち上げるだけで取り外しできるため、配索作業が容易である。
【００２２】
尚、前記実施形態によれば、ワイヤーハーネスＷの所望の経路が略Ｔ字状の場合を示したが、本発明はワイヤーハーネスＷの経路形状がどのようなものであっても適用可能であることはもちろんである。
【００２３】
【発明の効果】
以上説明したように、請求項１の発明によれば、ワイヤーハーネスの所望の経路に沿った形状を有する硬質の補強ロッド部材と、この補強ロッド部材が載置される複数の配索治具とを備え、複数の配索治具の各ロッド支持スペースに補強ロッド部材を載置し、この載置された補強ロッド部材に沿うようにワイヤーハーネスを配置して、このワイヤーハーネスを補強ロッド部材と共に複数の配索治具のロッド支持スペースに載置し、複数の配索治具の間の位置で補強ロッド部材及びワイヤーハーネスとを拘束テープで仮締結し、この拘束テープで仮締結した補強ロッド部材及びワイヤーハーネスとを複数の配索治具より取り外し、取り外した補強ロッド部材及びワイヤーハーネスを拘束テープで本締結するので、このワイヤーハーネスの配索方法では、補強ロッド部材を拘束テープ内より引き抜かないことからワイヤーハーネスの経路が折曲している場合に対応可能であり、又、補強ロッド部材はワイヤーハーネスの経路に沿った単純な形状で、且つ、硬質の材質のものであれば足りる。従って、ワイヤーハーネスの経路が折曲する場合にあっても、単純な形状の補強ロッド部材を用いて安価にワイヤーハーネスを配索できる。
【００２４】
請求項２の発明によれば、請求項１記載のワイヤーハーネスの配索方法であって、配索治具のロッド支持スペースは、底面部とこの底面部の両端より立設された左右の側面部とから構成されているので、請求項１の発明の効果に加え、配索治具の上方より補強ロッド部材やワイヤーハーネスをロッド支持スペースに載置でき、又、ロッド支持スペースに載置された補強ロッド部材及びワイヤーハーネスを上方に持ち上げるだけで取り外しできるため、配索作業が容易である。
【図面の簡単な説明】
【図１】本発明の一実施形態を示し、ワイヤーハーネスの配索に使用する各部品の斜視図である。
【図２】本発明の一実施形態を示し、ワイヤーハーネスの配索過程であって、補強ロッド部材に沿ってワイヤーハーネスを配置した状態を示す斜視図である。
【図３】本発明の一実施形態を示し、補強ロッド部材の周囲にワイヤーハーネスが配置されている状態を示す拡大側面図である。
【図４】本発明の一実施形態を示し、（ａ）はワイヤーハーネスの配索過程であって、拘束テープで補強ロッド部材とワイヤーハーネスとを仮締結する状態を示す斜視図、（ｂ）はワイヤーハーネスの配索過程であって、拘束テープで補強ロッド部材とワイヤーハーネスとを本締結する状態を示す斜視図である。
【図５】従来例のワイヤーハーネスの配索方法を説明するための斜視図である。
【符号の説明】
１  補強ロッド部材
２  配索治具
５  ロッド支持スペース
７  電線
８  拘束テープ
Ｗ  ワイヤーハーネス
【図１】
0004009435.tif 000002
【図２】
0004009435.tif 000003
【図３】
0004009435.tif 000004
【図４】
0004009435.tif 000005
【図５】
0004009435.tif 000006